(57)【要約】      （修正有）【課題】パック室内に媒体パックが装填された状態でフイルムドアを開閉した場合カウンタがリセットされることなく、且つパック室に媒体パックが装填されていない状態で作動された場合であってもエラーを防止する。【解決手段】  フイルムドア２０とパック室２２内のフイルムパックの取出の双方があった時に、バネ部材１３＿４によりカウンタレバー１３＿３がＡ方向に回動し、カウンタレバー１３＿３の先端部がギア１３＿１の歯から外れてリセットされる。また、フイルムドア２０の閉にあたっては、リブ２０ｄの斜面部２０ｄ１でリブ１３＿３ｂの斜面部１３＿３ｂ１が案内され、さらにフイルムパックの装填にあたっては、リブ１３＿３ａがフイルムパックで押圧されるため、いずれの場合であっても、カウンタレバー１３＿３の先端部がギア１３＿１の歯に係合し、その後の搬送シーケンスに連動したカウント動作が行なわれることのできる準備状態にセットされる。【選択図】  図１０
2006088498.tif 000002
【特許請求の範囲】
【請求項１】
画像が記録される記録媒体が複数枚重ねられて収容された媒体パックが装填されるパック室を備え、該パック室に装填された複数枚の記録媒体に順次１枚ずつ画像を記録して送り出す画像記録装置において、
前記パック室を開閉自在に覆うフイルムドアと、
前記パック室内に装填された媒体パック内の記録媒体の搬送シーケンスに連動したカウント動作を行なうカウンタとを備え、
前記カウンタは、前記フイルムドア開と前記パック室内の媒体パックの取出しとの双方があったときにリセットされ、前記フイルムドア閉と前記パック室内への媒体パックの装填とのいずれか一方があったときに、その後の搬送シーケンスに連動したカウント動作を行なうことのできる準備状態にセットされるものであることを特徴とする画像記録装置。
【請求項２】
前記カウンタは、前記パック室に装填された媒体パック内の記録媒体の面と向き合う面に設置されたものであることを特徴とする請求項１記載の画像記録装置。
【請求項３】
この画像記録装置は、前記パック室に装填されている、媒体パック室内の記録媒体を１枚ずつ送り出し所定の搬送方向に搬送しながら該記録媒体を書き込むことにより該記録媒体上に画像を記録するプリンタであることを特徴とする請求項１記載の画像記録装置。
【請求項４】
前記媒体パック内の記録媒体は写真感光体であって、この画像記録装置は、前記パック室に装填されている媒体パック室内の記録媒体上に写真撮影を行なって写真撮影後の記録媒体を送り出すカメラであることを特徴とする請求項１記載の画像記録装置。
【発明の詳細な説明】
【技術分野】
【０００１】
本発明は、画像が記録される記録媒体が複数枚重ねられて収容された媒体パックが装填されるパック室を備え、そのパック室に装填された複数枚の記録媒体に順次１枚ずつ画像を記録して送り出す画像記録装置に関する。
【背景技術】
【０００２】
従来より、上述した画像記録装置の一例として、インスタントフイルムシート上に画像を記録するプリンタが知られている。このタイプのプリンタには、インスタントフイルムシートが複数枚重ねられて収容されたインスタントフイルムパックが装填されるパック室と、パック室を開閉自在に覆うフイルムドアと、装填されているインスタントフイルムパック内の残存枚数を表示する表示部とが備えられている。インスタントフイルムシート上に画像を記録するには、パック室内のインスタントフイルムシートのうちの、１枚目のインスタントフイルムシートをクロー（爪）で掻き上げて搬送ローラで搬送し、そのインスタントフイルムシートにレッド（Ｒ）,グリーン（Ｇ）,ブルー（Ｂ）の発光色を持つ発光素子からの３つの色光を循環的に照射して潜像を書き込み、さらにそのインスタントフイルムシートが有する現像剤溜りを展開ローラで押し潰して現像剤を展開することにより行なう（例えば、特許文献１参照）。
【０００３】
上記のインスタントフイルムパックは未使用段階では遮光状態に保つ必要があり、このため遮光板等が備えられており、使用にあたってはその遮光板を排出あるいは開放する必要がある。
【０００４】
ここで、特許文献２には、インスタントフイルムパックが装填されてその中のインスタントフイルムシートに写真撮影を行なうカメラであって、遮光板を排出する制御方法が開示されている。ここでは、インスタントフイルムパックを装填するために設けられた蓋部材の開閉を検出する開閉検出スイッチを設け、その開閉検出スイッチのオン、オフの変化をもってインスタントフイルムシートが装填されたことを検出し、遮光板を排出している。
【０００５】
また特許文献３では、インスタントフイルムパックの装填、取出しによりオン、オフするスイッチを設け、そのスイッチのオン、オフの変化をもってインスタントフイルムパックが交換されたことを検知している。
【０００６】
これら特許文献２あるいは特許文献３に開示された方法では、スイッチが、現在、例えばオンになっていることのみを検出しても、インスタントフイルムパックを今回装填あるいは交換したのか、あるいは以前に装填あるいは交換されて既に遮光板が排出された状態にあるのかは分からず、したがってスイッチのオン、オフの変化を常に監視してその履歴を覚えていなければならず、したがって常に電力が消費され省電力化の妨げとなっている。
【０００７】
これを解決するために、スイッチのオン、オフの履歴を記憶しておく不揮発性メモリを備えることも一応考えられるが、不揮発性メモリを備えたとしても電源オフの期間内におけるスイッチのオン、オフの履歴を記録することはできず、不充分である。
【０００８】
上記問題を解決するために機械式カウンタを用いる方法が考えられる。つまり、位置もしくは姿勢を変えることで、パック室に装填された媒体パックの未使用状態と、使用開始後の媒体パックからの記録媒体の取出し枚数あるいは媒体パック内の記録媒体の残存枚数とを表示し、電力遮断時にも表示を維持してパック室からの媒体パック取出しにより未使用状態の表示に戻る機械式カウンタと、上記機械式カウンタが未使用状態を表示しているか否かを検知するセンサを配置することで電源投入時における、上記センサによる、機械式カウンタが未使用状態を表示していることの検知を受けて、遮光板を排出あるいは開放する動作を行ないプリンタをプリント可能な状態にする。
【特許文献１】特開２００２−９４９００号公報
【特許文献２】特開２０００−８９３４７号公報
【特許文献３】特開２００１−１１１９２４号公報
【発明の開示】
【発明が解決しようとする課題】
【０００９】
上述したプリンタにおいて、パック室内にインスタントフイルムパックが装填されない状態で、フイルムドアを閉じて電源を投入して動作確認を行なった場合、パック室内にインスタントフイルムパックが装填されていないことから、機械式カウンタは進まず、未使用状態を示している。インスタントフイルムパックを装填した通常の使用時に、電源を投入して遮光板を排出あるいは開放する動作を行なったにも関わらず、カウンタが未使用状態を表示していることをセンサが検知した場合、機械式カウンタが正常に回転しなかった、又は、センサが故障して異常な信号を出すなど重大な欠陥が考えられる為、エラーとして表示される。パック室内にインスタントフイルムパックが装填されていない状態でも、機械式カウンタは作動しないため、同様にエラーとして表示されるが、このエラーは実際のエラーでは無い為、紛らわしいという問題がある。
【００１０】
本発明は、上記事情に鑑み、コストアップを抑えたまま、パック室内に媒体パックが装填された状態でフイルムドアを開閉した場合であってもカウンタがリセットされることなく、且つパック室に媒体パックが装填されていない状態で作動された場合であってもエラーの発生が防止された画像記録装置を提供することを目的とする。
【課題を解決するための手段】
【００１１】
上記目的を達成する本発明の画像記録装置は、画像が記録される記録媒体が複数枚重ねられて収容された媒体パックが装填されるパック室を備え、そのパック室に装填された複数枚の記録媒体に順次１枚ずつ画像を記録して送り出す画像記録装置において、
上記パック室を開閉自在に覆うフイルムドアと、
上記パック室内に装填された媒体パック内の記録媒体の搬送シーケンスに連動したカウント動作を行なうカウンタとを備え、
上記カウンタは、上記フイルムドア開と上記パック室内の媒体パックの取出しとの双方があったときにリセットされ、上記フイルムドア閉と上記パック室内への媒体パックの装填とのいずれか一方があったときに、その後の搬送シーケンスに連動したカウント動作を行なうことのできる準備状態にセットされるものであることを特徴とする。
【００１２】
本発明の画像記録装置は、記録媒体の搬送シーケンスに連動したカウント動作を行なうカウンタが、フイルムドア開と媒体パックの取出しとの双方があったときにリセットされるため、換言すれば、上記カウンタが、フイルムドアを開けた状態で且つ媒体パックを抜いた時点でリセットされるため、誤ってフイルムドアを一旦開け、誤りに気づいてそのまま閉じるという操作を行なった場合であってもカウンタがリセットされることはなく、従って実際に記録可能な残存記録媒体の枚数とカウンタに表示される残存記録媒体の枚数とが異なってしまうという問題が解消される。
【００１３】
また、本発明の画像記録装置は、フイルムドア閉とパック室内への媒体パックの装填とのいずれか一方があったときに、その後の搬送シーケンスに連動したカウント動作を行なうことのできる準備動作にセットされるものであるため、例えば、媒体パックが装填されていない状態でフイルムドアが閉じられた場合は、その後の搬送シーケンスに連動したカウント動作が行なわれることのできる準備状態にセットされる。このような状態において、電源を投入して一連のシーケンスを実行してカウンタを作動させることができる。従って、エラー表示されることもなく動作確認等を実行することができる。
【００１４】
ここで、上記カウンタは、上記パック室に装填された媒体パック内の記録媒体の面と向き合う面に設置されたものであることも好ましい態様である。
【００１５】
従来の画像記録装置であるインスタントカメラや移動ヘッド方式のプリンタでは、鏡胴や移動ヘッドがあるため、カウンタはスペースに制約がある側面に配備される。従って、カウンタの表示が小さくて見にくいという欠点がある。本発明の画像記録装置では、カウンタを記録媒体の面と向き合う面に設置することにより、カウンタの面積制約が緩和されるため、大きな表示を実現することができる。従って、カウンタの表示が見易くなる。さらに、後述する実施形態に示すように、カウンタを構成する表示板（文字板）の数字を透かし文字にするとともにその表示板の裏にＬＥＤを配置しておき、このＬＥＤで表示板を裏から照射（バックライト）することにより、カウンタの表示を一層見易くすることができる。
【００１６】
また、この画像記録装置は、上記パック室に装填されている、媒体パック室内の記録媒体を１枚ずつ送り出し所定の搬送方向に搬送しながらその記録媒体を書き込むことによりその記録媒体上に画像を記録するプリンタであってもよい。
【００１７】
さらに、上記媒体パック内の記録媒体は写真感光体であって、この画像記録装置は、上記パック室に装填されている媒体パック室内の記録媒体上に写真撮影を行なって写真撮影後の記録媒体を送り出すカメラであってもよい。
【発明の効果】
【００１８】
本発明の画像記録装置によれば、コストアップを抑えたまま、パック室内に媒体パックが装填された状態でフイルムドアを開閉した場合であってもカウンタがリセットされることなく、且つパック室に媒体パックが装填されていない状態で作動された場合であってもエラーの発生を防止することができる。
【発明を実施するための最良の形態】
【００１９】
以下、本発明の実施形態について説明する。
【００２０】
図１は、本発明の画像記録装置の一実施形態であるプリンタを、斜め前方から見た斜視図である。
【００２１】
このプリンタ１は、携帯電話などと組み合わされて使用されるものであって、露光により潜像が形成された後現像剤が展開されて顕像化されるインスタントフイルムシートが複数枚（ここでは１０枚として説明する）積層されたインスタントフイルムパックがパック室に装填され、そのインスタントフイルムシートを画像データに応じて露光して外部に送り出しながらそのインスタントフイルムシートに現像剤を展開するものである。このインスタントフイルムシートが本発明にいう記録媒体の一例に相当する。
【００２２】
携帯電話にはＩｒＤＡ（Ｉｎｆｒａｒｅｄ  Ｄａｔａ  Ａｓｓｏｃｉａｔｉｏｎ）に準拠した赤外線通信を行なえるものがあり、この赤外線通信を使用して自分の持つ情報を他の情報機器へ送信することができ、カメラ付き携帯電話であれば、画像データをこのプリンタ１に送信することができる。このプリンタ１は、そのカメラ付き携帯電話で撮影された画像を表わす画像データまたはメールなどで携帯電話に送信されてきた画像データが赤外線通信を用いてこのプリンタ１に送信されてきたときに、その画像データに基づいてインスタントフイルムシート上に画像の記録を行なうものであり、さらにその送信された画像データに基づく画像の再記録を、携帯電話から再送信をわざわざ行なわなくても、後述するリピートスイッチを操作するという簡単な操作で別のインスタントフイルムシート上に行なえるものである。
【００２３】
このプリンタ１は、図１に示すように薄型で軽量かつ小型の構造を有する可搬型のプリンタであり、３Ｖ用の一次電池が２個内蔵される。このプリンタ１の筐体１ａ内にインスタントフイルムパックが装填され、そのインスタントフイルムパック内の、積層された１０枚のインスタントフイルムシート一枚一枚に画像の記録が行なわれる。
【００２４】
プリンタ１の筐体１ａの上面には操作ボタンとして、このプリンタ１の電源の投入および遮断を指示する電源スイッチ（以下、電源ＳＷと記述する）１１と、送信された画像データに基づく画像の再記録を行なうためのリピートスイッチ（以下、リピートＳＷと記述する）１２が設けられている。また、筐体１ａの上面には、インスタンフイルムシートの残り枚数を示すカウンタ１３が設けられている。このカウンタ１３は機械式のカウンタであり、詳細は後述するが、未使用のインスタントフイルムパックが装填されて電源が投入された時点では残り枚数が１０枚であることを示す数値‘１０’が表示される。以下、インスタントフイルムシートに画像の記録が行なわれる度に枚数が減算された残り枚数を示す数値が表示され、１０枚目のインスタントフイルムシートに画像の記録が行なわれると残り枚数が０枚であることを示す数値‘０’が表示される。
【００２５】
また、このプリンタ１の端部には、送受信部１４が備えられている。この送受信部１４は、前述した赤外線通信により送信されてきた画像データを受信するとともに、受信された旨を相手側に知らせるための信号を送信する。
【００２６】
さらに、このプリンタ１の筐体１ａには、電源が投入されると点灯するとともに赤外線通信時に点滅する電源用ＬＥＤ１５、赤外線通信においてエラーが発生すると点灯する通信エラー用ＬＥＤ１６、および内蔵された電池電圧が低下するとユーザに電池交換を促すために点灯するローバッテリ表示用のＬＥＤ１７が設けられている。
【００２７】
また、プリンタ１の側面には、そのプリンタ１の下面側に設けられた後述するフイルムドアを開放するためのフイルムドア開放スイッチ１８が備えられており、コーナー部にはストラップ取付部１ｂが備えられている。
【００２８】
図２は、図１に示すプリンタにおいて、カメラ付き携帯電話からの画像データに基づいて画像が記録されたインスタントフイルムシートが排出される様子を示す図である。
【００２９】
カメラ付き携帯電話２の赤外線通信部をプリンタ１の送受信部１４に向けた状態で、そのカメラ付き携帯電話２を操作して、カメラ付き携帯電話２で撮影された画像を表わす画像データを赤外線通信を用いてこのプリンタ１に送信する。プリンタ１は、赤外線通信により送信されてきた画像データを受信し、その受信した画像データに基づく潜像の記録を露光によりインスタントフイルムシート１００１上に行ないながら、そのインスタントフイルムシート１００１を顕像しつつ、プリンタ１の送出口１９から外部へ徐々に排出する。その後、リピートＳＷ１２が操作されたときにも、その画像と同じ画像の再記録が別のインスタントフイルムシート上に行なわれる。
【００３０】
図３は、図１に示すプリンタの下面側を斜め上方から見た斜視図である。
【００３１】
このプリンタ１の下面側には、図１に示すフイルムドア開放スイッチ１８の操作により開放されるフイルムドア２０が設けられており、このフイルムドア２０が開けられ、インスタントフイルムパックがパック室に装填される。また、フイルムドア２０には、インスタントフイルムパックが装填されているか否かを確認するためのパック在否確認窓２０ａが設けられている。さらに、フイルムドア２０に隣接して、このプリンタ１の電源となる電池を実装するために開放される電池蓋２１も設けられている。
【００３２】
図４は、図３に示すプリンタの、フイルムドアが開けられた状態の斜視図である。
【００３３】
フイルムドア２０の内側には、前述したパック在否確認窓２０ａと、バネ部材２０ｂ,２０ｃが設けられており、これらのバネ部材２０ｂ，２０ｃによってインスタントフイルムパック内に積層されたインスタントフイルムシートがプリンタ１の上面側に押圧される。
【００３４】
また、プリンタ１には、インスタントフイルムパックを装填するためのパック室２２が設けられている。パック室２２外の、図４における右側には、搬送するインスタントフイルムシートに画像を書き込む画像書込部３００および媒体搬送展開部３０が設けられている。これら画像書込部３００および媒体搬送展開部３０の詳細については後述する。また、パック室２２内の、図４における下方には、インスタントフイルムシートを画像書込部３００および媒体搬送展開部３０側に送り出させるためのクロー（爪）２４が設けられている。このような構成によって、インスタントフイルムパック内のインスタントフイルムシートのうちの、プリンタ１の一番上面側にあるインスタントフイルムシートがクロー２４で掻き上げられて媒体搬送展開部３０で搬送されながら画像書込部３００で画像が書き込まれて現像される。
【００３５】
図５は、図４に示すプリンタの、筐体が取り外された状態の斜視図である。
【００３６】
図５には、直流モータ４０６と、その直流モータ４０６からの回転駆動力を後述する搬送ロールおよび展開ロールに伝達するギア列３９を備えた媒体搬送展開部３０が示されている。また、この図５には、パック室２２内に設けられたクロー２４、およびインスタントフイルムパックの装填により押圧される後述するカウンタレバーのリブ１３＿３ａも示されている。
【００３７】
図６は、プリンタ内部の制御系統を示す構成ブロック図である。
【００３８】
図６の右端側には、図１に示すプリンタ１の模式図が示されており、この右端部を除く全域に、このプリンタ１の制御系統を示す構成が示されている。尚、図６に示す矢印は、このプリンタ１における、制御系統を示す構成要素それぞれの配置関係を示す。
【００３９】
このプリンタ１には、メイン基板部１００と、サブ基板部２００と、画像書込部３００と、ＦＰＩ部４０１と、ＥＮＣＰＩ部４０２と、ＣＯＵＮＴＰＩ部４０３と、カムスイッチ４０４と、前述した送受信部１４に設けられたＩｒＤＡ送受信部４０５と、上述した直流モータ４０６とが備えられている。
【００４０】
サブ基板部２００には、前述した電源ＳＷ１１，リピートＳＷ１２、および表示用ＬＥＤ部２０１が備えられている。表示用ＬＥＤ部２０１には、前述した電源用ＬＥＤ１５，通信エラー用ＬＥＤ１６，ローバッテリ表示用のＬＥＤ１７、およびカウンタ１３の裏側に設けられたカウンタバックライト用のＬＥＤ（図示せず）が備えられている。
【００４１】
画像書込部３００には、光ガイドや液晶シャッタ（ＬＣＳ）等を有する光ヘッド部３０１と、その光ヘッド部３０１とメイン基板部１００とを接続するフレキシブルケーブル３０２,３０３と、フレキシブルケーブル３０３に実装されたレッド（Ｒ）,グリーン（Ｇ）,ブルー（Ｂ）の発光色を持つ発光素子（ＬＥＤ）３０４,３０５,３０６とが備えられている。この画像書込部３００は、搬送途中のインスタントフイルムシートに、書込指示パルスに同期して送受信部１４により受信した画像データに基づいて、ＬＥＤ３０４,３０５,３０６からのＲ，Ｇ，Ｂの３つの色光を循環的に照射することにより、そのインスタントフイルムシートに潜像を書き込む。また、プリンタ１には、３Ｖ用の一次電池４０７が２個内蔵される。
【００４２】
以下、メイン基板部１００について説明する。メイン基板部１００には、直列接続された一次電池４０７からの６Ｖの電源電圧ＶＢが印加される。このメイン基板部１００には、ＭＰＵ（Ｍｉｃｒｏ  Ｐｒｏｃｅｓｓｏｒ  Ｕｎｉｔ）１０１と、発振子１０２と、リセット回路１０３と、フラッシュメモリ（ＦＬＡＳＨ）１０４と、ＳＤＲＡＭ１０５とが備えられている。
【００４３】
ＭＰＵ１０１は、このプリンタ１の動作を統括的に制御する。
【００４４】
発振子１０２は、所定の周波数の発振信号を生成してＭＰＵ１０１に動作用のクロック信号として供給する。
【００４５】
リセット回路１０３は、ＭＰＵ１０１の初期化を行なうためのリセット信号を出力する。
【００４６】
フラッシュメモリ１０４は、不揮発性のメモリであり、このフラッシュメモリ１０４には、プリンタ１固有の機構等に依存して定まる固体差調整用の調整値等が記憶される。
【００４７】
ＳＤＲＡＭ１０５は、揮発性のメモリであり、このＳＤＲＡＭ１０５には、カメラ付き携帯電話２からの画像データ等が記憶される。
【００４８】
また、このメイン基板部１００には、６Ｖの電源電圧ＶＢを入力して、２．５Ｖの電圧を出力する電源部１０６、３．３Ｖの電圧を出力する電源部１０７、および１５Ｖの電圧を出力するＤＣ／ＤＣコンバータ１０８が備えられている。さらに、ＭＰＵ１０１からの指示を受けてこれら電源部１０６，１０７，ＤＣ／ＤＣコンバータ１０８を制御する電源制御部１０９も備えられている。ここで、２．５Ｖの電圧はＭＰＵ１０１に供給されるとともに３．３Ｖの電圧はＭＰＵ１０１以外の周辺回路に供給される。また、１５Ｖの電圧は、後述するＬＣＤ駆動用として用いられる。
【００４９】
このプリンタ１では、一次電池４０７の長寿命化を図るために、低消費電力モードであるスタンバイモードを有するＭＰＵ１０１を備え、電源ＳＷ１２が押された場合であっても、ＭＰＵ１０１は、初期処理が終了した時点でスタンバイモードとなる。この状態で外部から赤外線通信が行なわれると、スタンバイモードから通常の動作モードに移行してインスタントフイルムシートに画像を記録し、速やかに通常の動作モードからスタンバイモードに移行する。また、リピートＳＷ１２が押された場合もインスタントフイルムシートに画像を記録した後はスタンバイモードになる。さらに、ＭＰＵ１０１が、各部に対して必要な動作時のみ電力を供給するように、電源制御部１０９を介して電源部１０６，１０７，ＤＣ／ＤＣコンバータ１０８を制御する。このようにすることにより、内蔵された一次電池４０７で長期に渡ってこのプリンタ１を使用することができる。
【００５０】
さらに、メイン基板部１００には、ＢＣ部１１０と、ＴＰＧ部１１１と、温度検出部１１２と、発振子１１３と、ＩｒＤＡ／ＬＣＳ制御部１１４と、ヘッドＬＥＤ駆動部１１５とが備えられている。
【００５１】
ＢＣ部１１０は、一次電池４０７の電源電圧ＶＢが所定の値よりも低下したか否かをチェックする。ＭＰＵ１０１は、このチェック結果を参照して一次電池４０７の電源電圧ＶＢが所定の値よりも低下していると判定した場合は、ユーザに電池交換を促すためにローバッテリ表示用のＬＥＤ１７を点灯する。
【００５２】
ＴＰＧ部１１１は、ＤＣ／ＤＣコンバータ１０８から出力される１５Ｖの電圧をオン，オフする。
【００５３】
温度検出部１１２は、画像書込部３００の温度を検出する。ＭＰＵ１０１は、この温度検出部１１２からの検出信号に応じて光学ヘッド部３０１内の液晶シャッタの各シャッタ部のシャッタスピード等を制御する。
【００５４】
発振子１１３は、所定の周波数の発振信号を生成してＩｒＤＡ／ＬＣＳ制御部１１４に供給する。
【００５５】
ＩｒＤＡ／ＬＣＳ制御部１１４は、発振子１１３からの発振信号に基づいてＩｒＤＡ送受信部４０５および光ヘッド部３０１を制御する。ＩｒＤＡ送受信部４０５には赤外線通信を行なうための投光素子および受光素子が備えられており、ＩｒＤＡ／ＬＣＳ制御部１１４は、上記受光素子で光電変換されたデータをＭＰＵ１０１に送ったり、ＭＰＵ１０１からその旨を外部の機器に知らせるためのデータを上記投光素子経由で外部に送信したりする。また、ＩｒＤＡ／ＬＣＳ制御部１１４は、ＭＰＵ１０１からの指示に基づいて、フレキシブルケーブル３０２を介して光ヘッド部３０１に備えられた液晶シャッタを制御する。
【００５６】
ヘッドＬＥＤ駆動部１１５は、ＭＰＵ１０１の指示に基づいた電流を、フレキシブルケーブル３０３を経由してＬＥＤ３０４，３０５，３０６に流すことにより、それらＬＥＤ３０４，３０５，３０６を駆動する。
【００５７】
本実施形態のプリンタ１は、インスタントフイルムシートを直流モータ４０６で所定の副走査方向（インスタントフイルムシートが送り出される方向）に送りながら、そのインスタントフイルムシート上にその副走査方向に関しＲ，Ｇ，Ｂの３色の色について循環的に書き込むとともに、その副走査方向に交わる主走査方向については、その主走査方向に並ぶ全画素について、同時に同じ色の書き込みを行なうことにより、そのインスタントフイルムシート上にカラー画像を記録するプリンタである。
【００５８】
カラー画像を記録するにあたり、画像書込部３００を構成する光学ヘッド部３０１には、フレキシブルケーブル３０２を介してＩｒＤＡ／ＬＣＳ制御部１１４から画像データに応じた制御信号が供給される。この制御信号は光学ヘッド部３０１内の液晶シャッタの各シャッタ部のシャッタスピードを制御するものである。この各シャッタ部のシャッタスピードが画像データに応じて制御され、フレキシブルケーブル３０３に備えられたＬＥＤ３０４，３０５，３０６からのＲＧＢそれぞれに対応する光がインスタントフイルムシート上に照射され、インスタントフイルムシートの幅方向に多数の光点（ドット）からなる潜像が記録される。この幅方向つまり一次元的に各シャッタ部が配列されている方向が、主走査方向である。従って、この各シャッタ部が主走査方向に電子的に走査されて１ライン分の光点（全画素）がインスタントフイルムシート上に記録される。この光学ヘッド部３０１の電子走査によってインスタントフイルムシートの主走査方向に多数のドットからなる光点が記録される。また、上述したように、本実施形態では、直流モータ４０６によりインスタントフイルムシートが副走査方向に送られている。従って、副走査方向についても画像書込部３００によって多数のドット毎に光点が順次記録されていくこととなる。
【００５９】
さらに、メイン基板部１００には、ＰＩ駆動部１１６が備えられている。このＰＩ駆動部１１６は、ＦＰＩ部４０１，ＥＮＣＰＩ部４０２，ＣＯＵＮＴＰＩ部４０３を駆動する。ここで、ＦＰＩ部４０１，ＥＮＣＰＩ部４０２，ＣＯＵＮＴＰＩ部４０３について説明する。
【００６０】
ＦＰＩ部４０１は、インスタントフイルムシートの有無を検出するためのフォトインタラプタである。
【００６１】
ＥＮＣＰＩ部４０２は、直流モータ４０６の回転に同期したパルス列からなるエンコード信号を出力するためのフォトインタラプタである。
【００６２】
ＣＯＵＮＴＰＩ部４０３は、カウンタ１３の初期位置を検知するためのフォトインタラプタである。
【００６３】
また、メイン基板部１００には、カムスイッチ４０４が接続されている。このカムスイッチ４０４は、このプリンタ１の搬送機構における初期位置をモニタするためのスイッチである。
【００６４】
さらに、メイン基板部１００には、モータ駆動部１１７が備えられている。このモータ駆動部１１７は、ＭＰＵ１０１からの指示を受けて、ＥＮＣＰＩ部４０２から出力されたエンコード信号のパルス列の時間間隔が所定の時間間隔となるように直流モータ４０６の回転速度を制御する。
【００６５】
図７は、インスタントフイルムシートの露光面を示す斜視図、図８は、インスタントフイルムシートの観察面を示す斜視図である。
【００６６】
図７には、インスタントフイルムシート１００１の露光面１００１＿１が示されている。この露光面１００１＿１には、インスタントフイルムシート１００１の搬送方向先端部に配備された現像剤溜り１００１ａと、画像が露光される露光部１００１ｂと、余白部１００１ｃと、余った現像剤を吸収するトラップ部１００１ｄとが設けられている。また、図８には、インスタントフイルムシート１００１の観察面１００１＿２側が示されている。この観察面１００１＿２には、露光により潜像が形成され現像剤の展開を受けて顕像化された画像を観察するための観察部１００１ｅと、余白部１００１ｆが設けられている。
【００６７】
図９は、媒体搬送展開部の断面図である。
【００６８】
媒体搬送展開部３０には、インスタントフイルムシート１００１の両側部を挟んでそのインスタントフイルムシート１００１を搬送する一対の搬送ローラ３１，３２が備えられている。搬送ローラ３２は、バネ部材３５＿１で搬送ローラ３１側に付勢されている。
【００６９】
また、媒体搬送展開部３０には、上記一対の搬送ローラ３１，３２よりもインスタントフイルムシート１００１の搬送方向下流側に配備され、そのインスタントフイルムシート１００１を全幅に亘って挟んで現像剤溜り１００１ａを押し潰して現像剤を展開する一対の展開ローラ３３，３４が備えられている。展開ローラ３４は、バネ部材３５＿２で展開ローラ３３側に付勢されている。
【００７０】
さらに、媒体搬送展開部３０には、搬送ローラ３１,３２と展開ローラ３３,３４との間に位置して展開中の現像剤を制御するための制御板３６，インスタントフイルムシート１００１を展開ローラ３３，３４へと案内するフイルムガイド３７と、インスタントフイルムシート１００１を外部に案内するためのフイルム案内フレーム３８が備えられている。また、インスタントフイルムパック２５の出口近傍には、画像書込部３００が設けられている。
【００７１】
本実施形態のプリンタ１は、インスタントフイルムパック２５内のインスタントフイルムシート１００１のうちの、プリンタ１の一番上面側にあるインスタントフイルムシート１００１を、所定の搬送開始点Ｐｓからクロー２４（図４、図５参照）で掻き上げて、搬送ローラ３１，３２で搬送しながら画像書込部３００で固定書込点Ｐｆにて画像を書き込み始める。さらに、このプリンタ１は、インスタントフイルムシート１００１に画像を書き込みながら搬送ローラ３１，３２でインスタントフイルムシート１００１を搬送し、展開ローラ３３，３４で現像剤溜り１００１ａを押し潰して現像剤を展開し、展開中の現像剤を制御板３６，フイルムガイド３７で制御して現像を行なって所定の搬送終了点Ｐｅまで搬送する。このようにして、１枚のインスタントフイルムシート１００１上に画像を記録する。
【００７２】
図１０は、本実施形態のプリンタを表面側から見た場合の、筐体が取り外された状態の斜視図、図１１は、図１０に示すプリンタに文字板が取付けられた状態の斜視図である。
【００７３】
このプリンタ１には、図１０に示すように、パック室２２が内包された箱体５１と、その箱体５１の上面に配備されたカバー部材２７と、カウンタ１３を構成するカウンタ部１３＿１０とが設けられている。また、この図１０には、パック室２２を開閉自在に覆うフイルムドア２０が示されている。フイルムドア２０には、斜面部２０ｄ１を有するリブ２０ｄが立設されている。
【００７４】
カウンタ１３を構成するカウンタ部１３＿１０には、直流モータ４０６（図５参照）の回転駆動力を伝達するウォームギア３９＿１１を介して駆動するギア１３＿１が備えられている。ギア１３＿１の上部には、図１１に示す文字板１３＿５が載置される。この文字板１３＿５は、透かし文字からなる‘Ｓ’および‘１０‘〜‘０’を有する。また、文字板１３＿５の下部には、図示しないＬＥＤが配置されており、このＬＥＤで文字板１３＿５を裏から照射（バックライト）することにより、カウンタ１３の表示を見易くしている。尚、この図１１に示す文字板１３＿５は、図１に示すカウンタ１３の窓から数値‘８’が見える位置にある。また、この文字板１３＿５は、数値‘７’と数値‘８’の間に切欠１３＿５ａを有する。
【００７５】
未使用のインスタントフィルムパックには遮光板が備えられており、未使用のインスタントフィルムパックが装填された時点では、切欠１３＿５ａはＣＯＵＮＴＰＩ部４０３の監視場所に位置し、上記窓の場所には、その装填されたインスタントフィルムパックが未使用であることを示す透かし文字‘Ｓ’が位置している。ここで、電源が投入されると、ＣＯＵＮＴＰＩ部４０３で切欠１３＿５ａが検出され、これにより、前述したクロー（爪）により遮光板が開けられてインスタントフィルムシートが使用開始状態となり、さらにカウンタ１３が作動し文字板１３＿５が反時計方向に回転して残り枚数が１０枚であることを示す数値‘１０’がバックライト表示される。その後、インスタントフィルムシートに画像の記録が行なわれる度に枚数が減算された残り枚数を示す数値が表示され、１０枚目のインスタントフィルムシートに画像の記録が行なわれると残り枚数が０枚であることを示す数値‘０’がバックライト表示されることとなる。
【００７６】
尚、遮光板開放動作終了時に、カウンタ１３の切欠１３＿５ａを検知した場合、カウンタ１３が作動していないと判断し、エラー用ＬＥＤ１６を点灯する。
【００７７】
また、カウンタ部１３＿１０には、ギア１３＿１を時計方向に付勢するバネ部材１３＿２と、先端部がギア１３＿１の歯に係合するカウンタレバー１３＿３と、一端がカウンタレバー１３＿３に保持されるとともに他端が部材２６に保持されてそのカウンタレバー１３＿３を付勢するバネ部材１３＿４とが備えられている。カウンタレバー１３＿３には、インスタントフイルムパックの装填により押圧されるリブ１３＿３ａと、フイルムドア２０に立設されたリブ２０ｄの斜面部２０ｄ１に案内される斜面部１３＿３ｂ１を有するリブ１３＿３ｂが備えられている。
【００７８】
上述したカウンタ部１３＿１０を備えたカウンタ１３は、パック室２２内に装填されたインスタントフイルムパック内のインスタントフイルムシートの搬送シーケンスに連動したカウント動作を行なうカウンタである。このカウンタ１３は、詳細は後述するが簡単な構成で実現することのできるラチェット式カウンタであり、このような機械式のカウンタを備えることにより、一次電池４０７が抜かれた場合であってもインスタントフイルムシート１００１の枚数を記憶しておくメモリを備える必要もない。
【００７９】
このカウンタ１３は、フイルムドア２０の開放とパック室２２内のインスタントフイルムパックの取出しとの双方があったときに、バネ部材１３＿４によりカウンタレバー１３＿３が矢印Ａ方向に回動して、そのカウンタレバー１３＿３の先端部がギア１３＿１の歯から外れ、これによりバネ部材１３＿２でギア１３＿１が初期状態にリセットされる。このようにすることにより、誤ってフイルムドア２０を一旦開け、誤りに気づいてそのまま閉じるという操作を行なった場合であってもカウンタ１３がリセットされることはなく、従って実際に撮影可能な残存フイルム枚数とカウンタ１３に表示された残存フイルム枚数とが異なってしまうという問題が解消される。
【００８０】
また、本実施形態のプリンタ１は、フイルムドア２０の閉とパック室２２内へのインスタントフイルムパックの装填とのいずれか一方があったときに、その後の搬送シーケンスに連動したカウント動作を行なうことのできる準備状態にセットされる。このため、例えばパック室２２内にインスタントフイルムパックが装填されていない状態でフイルムドア２０が閉じられた場合は、その後の搬送シーケンスに連動したカウント動作が行なわれることのできる準備状態にセットされる。具体的には、フイルムドア２０に立設されたリブ２０ｄの斜面部２０ｄ１が、カウンタレバー１３＿３に設けられたリブ１３＿３ｂの斜面部１３＿３ｂ１に案内されて、カウンタレバー１３＿３の先端部がギア１３＿１の歯に係合する。このような状態において、赤外線通信等を使用して一連のシーケンスを実行して動作確認を行なうことができる。
【００８１】
図１２は、図１０に示すプリンタの、インスタントフイルムパックが装填されてフイルムドアが閉じられた状態の断面図である。
【００８２】
図１２には、フイルムドア２０と、そのフイルムドア２０に設けられたリブ２０ｄと、カウンタレバー１３＿３と、そのカウンタレバー１３＿３に設けられたリブ１３＿３ｂとが示されている。また、複数枚のインスタントフイルムシート１００１が積層されたインスタントフイルムパック２５も示されている。ここでは、インスタントフイルムパック２５が装填されてフイルムドア２０が閉じられた状態にあり、このような状態では、フイルムドア２０のリブ２０ｄで、カウンタレバー１３＿３のリブ１３＿３ｂが押圧されているため、以下に説明する図１３に示すように、カウンタレバー１３＿３の先端部はギア１３＿１の歯に係合している。
【００８３】
図１３は、図１０に示すプリンタの、カバー部材を取り外した状態の平面図である。
【００８４】
図１３には、前述したカウンタ部１３＿１０と、矢印Ａ方向に回転するウォームギア３９＿１１と、そのウォームギア３９＿１１からの回転駆動力を受けて矢印Ｂ方向に回転する３回転カム６１と、３回転カム６１に連動して回転するギア６２と、そのギア６２に噛合して矢印Ｃ方向に回転するギア６３と、そのギア６３からの回転駆動力を受けて矢印Ｄ方向に回転する一回転カム６４とが示されている。ここで、一回転カム６４は、一回転することにより搬送の一連のシーケンスを完了させるカムであり、３回転カム６１が３回転すると一回転する。また、一回転カム６４の上部には、一連のシーケンスの初期位置をモニタするためのカムスイッチ４０４が載置されている。
【００８５】
さらに、図１３には、クロープレート６５と、このクロープレート６５を付勢するバネ部材６６が示されている。クロープレート６５には、クロー２４を案内するための直進ガイド溝６５ａと、バネ部材６６を保持する保持部材６５ｂが設けられている。
【００８６】
前述した図１２に示すように、インスタントフイルムパック２５が装填されてフイルムドア２０が閉じられた状態では、カウンタレバー１３＿３の先端部はギア１３＿１の歯に係合している。ここで、ウォームギア３９＿１１が矢印Ａ方向に回転すると、３回転カム６１が矢印Ｂ方向に回転して、クロープレート６５がウォームギア３９＿１１の方向に上昇を開始する。クロープレート６５が上昇を開始すると、そのクロープレート６５に設けられた直進ガイド溝６５ａに案内されてクロー２４が上昇する。これにより、インスタントフイルムシート１００１の掻き上げが開始される。また、３回転カム６１に連動してギア６２が回転し、このギア６２の回転駆動力がギア６３に伝達される。これにより、ギア６３が矢印Ｃ方向に回転する。このギア６３には爪６３ａが備えられており、この爪６３ａが、カウンタ１３のギア１３＿１の歯を下側に押すように働く。すると、ギア１３＿１が矢印Ｅ方向に回転し、カウンタレバー１３＿３の、ギア１３＿１の歯に係合している先端部がその歯を乗り越えて次の上側の歯に係合する。一連のシーケンスにおいては、このような動作が２回繰り返される。即ち、一連のシーケンスにおいては、カウンタ１３のギア１３＿１が２歯分だけ矢印Ｅ方向に回転する。これにより、文字板１３＿５が、その数値を１つだけ減算する方向に回動する。このようにして、インスタントフイルムシート１００１が排出される度にカウンタ１３の数値が１つづつ減算される。
【００８７】
ここで、カウンタ１３は、パック室２２に装填されたインスタントフイルムパック２５内のインスタントフイルムシートの露光面と向き合う面と同じ側の面に設置されている。プリンタ１の、インスタントフイルムシート１００１の露光面と向き合う面の面積は広く、このため面積制約が緩和された大きなカウンタ１３が実現されている。従って、インスタントフイルムシート１００１の残り枚数を示す数字は大きく、前述したバックライトによる文字板１３＿５の照射と相俟って見やすい表示が実現されている。
【００８８】
尚、本実施形態では、本発明の画像記録装置として、パック室に装填されている、媒体パック室内の記録媒体を１枚ずつ送り出し所定の搬送方向に搬送しながらその記録媒体を書き込むことによりその記録媒体上に画像を記録するプリンタの例で説明したが、本発明の画像記録装置は、これに限られるものではなく、媒体パック内の記録媒体は写真感光体であって、パック室に装填されている媒体パック室内の記録媒体上に写真撮影を行なって写真撮影後の記録媒体を送り出すカメラであってもよい。
【図面の簡単な説明】
【００８９】
【図１】本発明の画像記録装置の一実施形態であるプリンタを、斜め前方から見た斜視図である。
【図２】図１に示すプリンタにおいて、カメラ付き携帯電話からの画像データに基づいて画像が記録されたインスタントフイルムシートが排出される様子を示す図である。
【図３】図１に示すプリンタの下面側を斜め上方から見た斜視図である。
【図４】図３に示すプリンタの、フイルムドアが開けられた状態の斜視図である。
【図５】図４に示すプリンタの、筐体が取り外された状態の斜視図である。
【図６】プリンタ内部の制御系統を示す構成ブロック図である。
【図７】インスタントフイルムシートの露光面を示す斜視図である。
【図８】インスタントフイルムシートの観察面を示す斜視図である。
【図９】媒体搬送展開部の断面図である。
【図１０】本実施形態のプリンタを表面側から見た場合の、筐体が取り外された状態の斜視図である。
【図１１】図１０に示すプリンタに文字板が取付けられた状態の斜視図である。
【図１２】図１０に示すプリンタの、フイルムドアが閉じられた状態の断面図である。
【図１３】図１０に示すプリンタの、カバー部材を取り外した状態の平面図である。
【符号の説明】
【００９０】
１  プリンタ
１ａ  筐体
１ｂ  ストラップ取付部
２  カメラ付き携帯電話
１１  電源スイッチ（電源ＳＷ）
１２  リピートスイッチ（リピートＳＷ）
１３  カウンタ
１３＿１，６２，６３  ギア
１３＿２，１３＿４，６６  バネ部材
１３＿３  カウンタレバー
１３＿３ａ，１３＿３ｂ，２０ｄ  リブ
１３＿３ｂ１，２０ｄ１  斜面部
１３＿５  文字板
１３＿５ａ  切欠
１３＿１０  カウンタ部
１４  送受信部
１５  電源用ＬＥＤ
１６  通信エラー用ＬＥＤ
１７  ローバッテリ表示用のＬＥＤ
１８  フイルムドア開放スイッチ
１９  送出口
２０  フイルムドア
２０ａ  パック在否確認窓
２０ｂ,２０ｃ，３５＿１，３５＿２，６６  バネ部材
２１  電池蓋
２２  パック室
２３  搬送ローラ
２４  クロー
２５  インスタントフイルムパック
２６  部材
２７  カバー部材
３０  媒体搬送展開部
３１,３２  搬送ローラ
３３,３４  展開ローラ
３６  制御板
３７  フイルムガイド
３８  フイルム案内フレーム
３９  ギア列
３９＿１１  ウォームギア
５１  箱体
６１  ３回転カム
６１ａ  係合部材
６３ａ  爪
６４  一回転カム
６５  クロープレート
６５ａ  直進ガイド溝
６５ｂ  保持部材
１００  メイン基板部
１０１  ＭＰＵ
１０２，１１３  発振子
１０３  リセット回路
１０４  フラッシュメモリ
１０５  ＳＤＲＡＭ
１０６，１０７  電源部
１０８  ＤＣ／ＤＣコンバータ
１０９  電源制御部
１１０  ＢＣ部
１１１  ＴＰＧ部
１１２  温度検出部
１１４  ＩｒＤＡ／ＬＣＳ制御部
１１５  ヘッドＬＥＤ駆動部
１１６  ＰＩ駆動部
１１７  モータ駆動部
２００  サブ基板部
２０１  表示用ＬＥＤ部
３００  画像書込部
３０１  光ヘッド部
３０２，３０３  フレキシブルケーブル
３０４,３０５,３０６  発光素子（ＬＥＤ）
４０１  ＦＰＩ部
４０２  ＥＮＣＰＩ部
４０３  ＣＯＵＮＴＰＩ部
４０４  カムスイッチ
４０５  ＩｒＤＡ送受信部
４０６  直流モータ
４０７  一次電池
１００１  インスタントフイルムシート
１００１＿１  露光面
１００１＿２  観察面
１００１ａ  現像溜まり
１００１ｂ  露光部
１００１ｃ，１００１ｆ  余白部
１００１ｄ  トラップ部
１００１ｅ  観察部
【図１】
2006088498.tif 000003
【図２】
2006088498.tif 000004
【図３】
2006088498.tif 000005
【図４】
2006088498.tif 000006
【図５】
2006088498.tif 000007
【図６】
2006088498.tif 000008
【図７】
2006088498.tif 000009
【図８】
2006088498.tif 000010
【図９】
2006088498.tif 000011
【図１０】
2006088498.tif 000012
【図１１】
2006088498.tif 000013
【図１２】
2006088498.tif 000014
【図１３】
2006088498.tif 000015